(57)【特許請求の範囲】
【請求項１】
底板とこの底板に対して内側に折り畳み可能に取り付けられた側板及び前後板とからなる天然木製の浴槽本体と、
前記浴槽本体を中に入れる上が開口している直方体状の防水シートと、
前記防水シートを受ける底板及び側部フレームを有し、折り畳み式の脚を備えた架台とからなり、
前記防水シート及び前記浴槽本体の底板に排水口をそれぞれ設け、防水シートの排水口に排水ホースを取り付け、排水口の上部に、高さ調整可能な排水管を設け、
前記浴槽本体に被介護者の頭を支える頭部ベルト、腰部を支える腰部ベルト、及び脚部を支える脚部ベルトが設けられていることを特徴とする折り畳み式介護浴槽。
【請求項２】
高さ調整可能な排水管は、ジャバラ構造である請求項１記載の折り畳み介護浴槽。
【発明の詳細な説明】
【０００１】
【発明の属する技術分野】
本発明は、身体の不自由な人、寝たきり老人、病人等の被介護者を入浴させるための折り畳み式介護浴槽に関する。
【０００２】
【従来の技術】
主に、自宅で療養している身体の不自由な人、寝たきり老人、病人等の被介護者の入浴は、数人の介護者が被介護者を浴槽に運び、介護者が抱えて浴槽に入れている。
ところが、ユニットバスなどの一般家庭用の浴槽は、通常は一人分のスペースしかなく、介護者が数人入るには狭すぎるうえ、浴槽の片側にしかスペースがないことが多く、介護者が被介護者を浴槽内に運ぶとき、無理な体勢を取らなければならないと言う問題があった。また、一般家庭用の浴槽には、横たわるタイプと座るタイプがあり、後者では、被介護者の脚などを洗うことが困難となる。
【０００３】
一般家庭用の浴槽に被介護者を入らせる介護者の負担を軽減するため、車両内に浴槽を搭載した移動入浴車（例えば特開平６−１５４２７８号公報）があるが、設備的には入浴に必要なものを揃えることができる反面、移動入浴車の駐車場所と被介護者が居る家との間に距離が有る場合や、雨の日等では、被介護者を移動入浴車まで運ぶことが大変である。
そこで、介護専用の折り畳み式浴槽を車両に積み、被介護者の居宅に運んで組み立てて入浴させれば、介護者の負担が軽くなり、また被介護者も安心して入浴ができる。
【０００４】
そのような目的のために、特開平８−２１５０９１号公報には、平面形状を長方形とした底板の上面に、その４周を囲む周枠を形成し、その周枠に沿って側板を立設して浴槽外部を形成し、その内部に、直方体形状の防水性シートを装着して組み立てる組立式簡易浴槽が開示されている。
【０００５】
また、特開平１１−１１４００４号公報には、上部枠及び下部枠が共に長辺側の略中央で２分割され、蝶番により連結され、両者の間に中央支持棒及び両端支持棒の３組６本の支持棒を設け、布製浴槽をファスナーによって上部枠に取り付け、組み立ての際は、上部枠を持ち上げ、６本の支持棒で固定し、上部枠と同じ高さにした上下の背板上に入浴者をベッドから移送し、ハンドルを回転してワイヤーを巻き出し、下半身背板を沈めるようにした昇降機付き折り畳み移動浴槽が開示されている。
さらに、特開平７−２４６２２６号公報には、折り畳み可能な枠体と、この枠体内に着脱可能に敷設される防水性の浴槽袋と、この浴槽袋の中に着脱可能に敷設される膨張収縮可能な流体袋とからなり、この流体袋内に湯を入れて入浴するようにしたものが開示されている。
【０００６】
【発明が解決しようとする課題】
ところが、特開平８−２１５０９１号公報に開示された組立式簡易浴槽では、底板と側板が分離しているため、移動時に部材を置き忘れたりして現地で組み立てられないことがあり、また枠の内部に防水性シートを装着するので、入浴者が滑りやすく安全面でも問題があった。
また、特開平１１−１１４００４号公報に開示された組立式簡易浴槽では、組み立ての作業が繁雑であり、慣れた人でないと組み立てが困難であるという問題があった。
さらに、特開平７−２４６２２６号公報に開示された浴槽では、枠体がフレーム構造になっているので、浴槽袋をセットしたとき、浴槽袋の形状が安定しにくいという問題があった。
そこで本発明が解決しようとする課題は、組み立てが容易で、組み立てたときの浴槽の形が安定しており、入浴者にリラックスした入浴を楽しむことのできる折り畳み介護浴槽を提供することにある。
【０００７】
【課題を解決するための手段】
前記課題を解決するため、本発明の折り畳み介護浴槽は、底板とこの底板に対して内側に折り畳み可能に取り付けられた側板及び前後板とからなる天然木製の浴槽本体と、前記浴槽本体を中に入れる上が開口している直方体状の防水シートと、前記防水シートを受ける底板及び側部フレームを有し、折り畳み式の脚を備えた架台とからなり、前記防水シート及び前記浴槽本体の底板に排水口をそれぞれ設け、防水シートの排水口に排水ホースを取り付け、排水口の上部に、高さ調整可能な排水管を設け、前記浴槽本体に被介護者の頭を支える頭部ベルト、腰部を支える腰部ベルト、及び脚部を支えるの脚部ベルトが設けられていることを特徴とする。
【０００８】
【発明の実施の形態】
以下、本発明の実施の形態を、図面に示す実施例を参照しながら説明する。
図１は本発明に係る浴槽本体を組み立てた状態を示す側面図、図２はその一部切欠正面図である。浴槽本体１０は、底板１１と、前後板１２と、側板１３とからなり、側板１３は布製のベルト１４で底板１１に対して折り畳みができるようになっている。前後板１２は底板１１及び側板１３と別体に構成されている。底板１１，前後板１２及び側板１３は木製の場合、一枚板で作ればもっとよいが、間伐材などの幅の狭い板を用いるときは、側端縁に凹凸を設けてボンド（登録商標）でつなぎ合わせる。１５Ａは入浴者の頭を支える頭部ベルトであり、布のベルトの一点を側板１３の前方に固定し、他端は高さを調整してねじ１６で止める。また、腰部と脚部の部分にも、腰部ベルト１５Ｂと脚部ベルト１５Ｃが設けられており、浴槽本体の底部から入浴者を浮かせることにより、入浴者を反転させることなく、背中や臀部、脚の裏側を洗うことができる。浴槽本体の材質は、檜、杉、竹、よし、その他の天然素材を用い、入浴者に香りと感触で入浴を楽しめるようにする。
【０００９】
図３及び図４は本発明に係る防水シート２０の構造を示すものであり、上が開口している直方体状の強度の高い防水布で作られている。防水シート２０の隅部には排水口が設けられていて、そこに口金２１が取り付けられ、その口金２１にホース２２と高さ調整用ジャバラ２３がねじで取り付けられるようになっている。図中２４はロープ２５を通す穴である。この防水シート２０は、浴槽本体１０に湯を入れたとき、継ぎ目から湯が漏れるので、これを防水するためのものである。
【００１０】
図５及び図６は本発明に係る架台３０の構造を示すものであり、底板３１、側部フレーム３２、折り畳みストッパ３４付きの脚３３からなり、脚３３にはキャスター３５が取り付けられている。また側部フレーム３２にはロープフック３６が取り付けられている。側部フレーム３２は、ストッパ３７で開いた状態を固定できるようになっている。架台３０は、アルミ等の軽量部材で作るとよい。図７及び図８は折り畳んだ状態の架台を示している。
【００１１】
図９は以上の構成の浴槽本体１０と防水シート２０を架台３０に組み立てる状態を示すものである。まず、架台３０の脚３３を立ててストッパ３４で固定し、また側部フレーム３２を開いてストッパ３７で固定する。次いで側部フレーム３２の中に防水シート２０を入れる。このとき、ホース２２は、架台３０の底板３１に設けた穴３８に通す。次いで、浴槽本体１０を防水シート２０の中に入れる。高さ調整用ジャバラ２３は、浴槽本体１０の底板１１に設けた穴１７に通す。
【００１２】
図１０及び図１１は、浴槽組み立て後に、ロープフック３６とロープ通し穴２４にロープ２５を掛けて防水シートを固定した状態を示す側面図及び正面図である。このとき、防水シート２０内の浴槽本体１０が浮かないように、ロープ３８で固定する。さらに、最後に、逆台形状の前後板１２を浴槽本体１０の頭側及び足側に差し込んで、浴槽本体の形を作る。
入浴時は、防水カーテン４０を、水が飛び跳ねないように４面に取り付ける。４１は本体を車両の壁に取り付けるための金具である。
【００１３】
図１２〜図１４は本発明の浴槽を折り畳んで車両の壁に取り付けた状態を示すものである。図１２は正面図、図１３は壁掛け金具、図１４は壁掛け金具に取り付けた状態の側面図である。図中、４２は車両が移動するとき動かないようにするベルト、４３は壁掛け金具である。
【００１４】
本発明の折りたたみ介護浴槽は、折りたたみ収納が容易であり、場所を取らずに簡単に広げて使用出来る。入浴の際は、浴槽本体１０が檜、杉、竹、よし、その他の天然木で作られているときは、その香りと感触を楽しめ、また、薬草などを入れることもできる。この風呂は、温もり浴の中で洗い、その後、ジャバラ２３を低くして湯を抜き、シャワーをかけて被介護者を湯から上げる。
【００１５】
【発明の効果】
上述したように、本発明によれば、組み立てが容易で、組み立てたときの浴槽の形が安定しており、入浴者にリラックスした入浴を楽しませることができる。
【図面の簡単な説明】
【図１】本発明に係る浴槽の広げた状態を示す側面図である。
【図２】浴槽の一部切欠正面図である。
【図３】浴槽が入る防水シートの側面図である。
【図４】防水シートの正面図である。
【図５】折り畳み式架台の側面図である。
【図６】折り畳み式架台の正面図である。
【図７】折り畳んだ状態の架台の側面図である。
【図８】折り畳んだ状態の架台の正面図である。
【図９】本発明の組み立て方法を示す斜視図である。
【図１０】架台に防水シート及び浴槽を取り付けた状態の側面図である。
【図１１】図１０の正面図である。
【図１２】架台を折り畳んだ状態の平面図である。
【図１３】架台を壁に掛けるための金具の側面図である。
【図１４】金具に架台を取り付けた状態の側面図である。
【符号の説明】
１０  浴槽本体、１１  底板、１２  前後板、１３  側板、１４  ベルト、１５１５Ａ  頭部ベルト、１５Ｂ  腰部ベルト、１５Ｃ  脚部ベルト、１６  ねじ、１７  穴、２０  防水シート、２１  口金、２２  ホース、２３  高さ調整用ジャバラ、２４  穴、３０  架台、３１  底板、３２  側部フレーム、３３  脚、３４  折り畳みストッパ、３５  キャスター、３６  ロープフック、３７  ストッパ、４０  防水カーテン、４１  金具、４２  ベルト、４３  壁掛け金具
【図１】
0003609984.tif 000002
【図２】
0003609984.tif 000003
【図３】
0003609984.tif 000004
【図４】
0003609984.tif 000005
【図５】
0003609984.tif 000006
【図６】
0003609984.tif 000007
【図７】
0003609984.tif 000008
【図８】
0003609984.tif 000009
【図９】
0003609984.tif 000010
【図１０】
0003609984.tif 000011
【図１１】
0003609984.tif 000012
【図１２】
0003609984.tif 000013
【図１３】
0003609984.tif 000014
【図１４】
0003609984.tif 000015